(57)【要約】【課題】スライドショー再生時において、視聴者の反応に応じて動的に各対象画像の表示時間を決定する。【解決手段】複数の対象画像を順次切り替えて再生表示する画像再生システムにおいて、再生表示時における周辺音（視聴者の歓声など）又は視聴者の動き（顔の表情の変化など）に基づいて、対象画像の表示時間を動的に決定する。例えば、まず、第１の対象画像を単位期間だけ表示する。そして、その単位期間中の周辺音に対応する音声パワーを検出し、該音声パワーが比較的大きければ、視聴者の関心度が高いと判断して第１の対象画像の表示を延長し、該音声パワーが比較的小さければ、表示画像を第１の対象画像から第２の対象画像に切り替える。【選択図】図６
2008141484.tif 000002
【特許請求の範囲】
【請求項１】
複数の対象画像を順次切り替えて再生表示する画像再生システムにおいて、
再生表示時における外部状況に応じて、再生表示される対象画像間の切り替えタイミングを変更可能とする
ことを特徴とする画像再生システム。
【請求項２】
音の入力を受け、前記音に応じた音声信号を生成する音入力手段を備え、
前記外部状況を表す、再生表示時における前記音声信号に基づいて、再生表示される対象画像間の切り替えタイミングを変更可能とする
ことを特徴とする請求項１に記載の画像再生システム。
【請求項３】
再生表示前における前記音声信号と再生表示時における前記音声信号との対比に基づいて、再生表示される対象画像間の切り替えタイミングを変更可能とする
ことを特徴とする請求項２に記載の画像再生システム。
【請求項４】
再生表示時における前記音声信号の所定周波数成分又は所定周波数帯域成分に基づいて、再生表示される対象画像間の切り替えタイミングを変更可能とする
ことを特徴とする請求項２に記載の画像再生システム。
【請求項５】
再生表示時に動画像を撮影する撮像手段を備え、
前記外部状況を表す、前記動画像内の画像の動きに基づいて、再生表示される対象画像間の切り替えタイミングを変更可能とする
ことを特徴とする請求項１に記載の画像再生システム。
【請求項６】
前記動画像内に含まれる顔領域を検出する顔領域検出手段を備え、
再生表示時における前記顔領域内の画像の動きに基づいて、再生表示される対象画像間の切り替えタイミングを変更可能とする
ことを特徴とする請求項５に記載の画像再生システム。
【請求項７】
表示装置にて複数の対象画像を順次切り替えて再生表示させるために、映像信号を前記表示装置に供給する映像信号供給装置において、
再生表示時における外部状況に応じて、再生表示される対象画像間の切り替えタイミングを変更可能とするための切替制御手段を備えた
ことを特徴とする映像信号供給装置。
【発明の詳細な説明】
【技術分野】
【０００１】
本発明は、画像再生を行う画像再生システムに関し、特に、複数の対象画像を順次切り替えて再生表示する画像再生システムに関する。また、本発明は、表示装置に映像信号を供給する映像信号供給装置に関する。
【背景技術】
【０００２】
複数の対象画像を順次切り替えて再生表示する所謂スライドショー再生は、一般的に利用されている。
【０００３】
一般的なスライドショー再生では、一定時間経過するたびに表示画像が自動的に切り替えられる。しかしながら、この場合、スライドショー再生の視聴者の関心度が高く比較的長時間の表示が望まれる対象画像も、該関心度が低く比較的短時間で表示を終了させたい対象画像も、同じ時間だけ表示されてしまう。これを回避すべく、手動操作に従って表示画像の切り替えを行う手法も存在するが、手動操作が必要な分、ユーザに負担がかかり、特に表示すべき対象画像の枚数が多い場合には、操作がかなり煩わしくなる。
【０００４】
このような問題を解決するべく、特許文献１の手法では、スライドショー再生の対象画像に対して設定された関連情報（お気に入り度）に基づき、対象画像の表示時間を変更するようにしている。
【０００５】
【特許文献１】特開２００６−１５７３２４号公報
【発明の開示】
【発明が解決しようとする課題】
【０００６】
しかしながら、特許文献１の手法では、予め関連情報を手動操作によって与える必要がある。また、関連情報（お気に入り度）に基づいて定められる表示時間と、実際に視聴者が望む表示時間とが、一致又は類似するとは限らない。
【０００７】
そこで本発明は、再生表示される対象画像間の切り替えタイミングを望ましいタイミングに近づけることに寄与する画像再生システム及び映像信号供給装置を提供することも目的とする。
【課題を解決するための手段】
【０００８】
上記目的を達成するために本発明に係る画像再生システムは、複数の対象画像を順次切り替えて再生表示する画像再生システムにおいて、再生表示時における外部状況に応じて、再生表示される対象画像間の切り替えタイミングを変更可能とすることを特徴とする。
【０００９】
これにより、再生表示時における外部状況から視聴者の反応などを推測し、その推測結果に従って切り替えタイミングを決定する、といったことが可能となる。この結果、再生表示される対象画像間の切り替えタイミングを望ましいタイミングに近づけることも可能となる。
【００１０】
具体的には例えば、当該画像再生システムは、音の入力を受け、前記音に応じた音声信号を生成する音入力手段を備え、前記外部状況を表す、再生表示時における前記音声信号に基づいて、再生表示される対象画像間の切り替えタイミングを変更可能とする。
【００１１】
そして例えば、再生表示前における前記音声信号と再生表示時における前記音声信号との対比に基づいて、再生表示される対象画像間の切り替えタイミングを変更可能とする。
【００１２】
これに代えて例えば、再生表示時における前記音声信号の所定周波数成分又は所定周波数帯域成分に基づいて、再生表示される対象画像間の切り替えタイミングを変更可能とする。
【００１３】
また具体的には例えば、当該画像再生システムは、再生表示時に動画像を撮影する撮像手段を備え、前記外部状況を表す、前記動画像内の画像の動きに基づいて、再生表示される対象画像間の切り替えタイミングを変更可能とする。
【００１４】
そして例えば、当該画像再生システムは、前記動画像内に含まれる顔領域を検出する顔領域検出手段を備え、再生表示時における前記顔領域内の画像の動きに基づいて、再生表示される対象画像間の切り替えタイミングを変更可能とする。
【００１５】
尚、上記画像再生システムは、例えば、撮像装置、表示装置又はそれらの組み合わせから形成可能である。
【００１６】
上記目的を達成するために本発明に係る映像信号供給装置は、表示装置にて複数の対象画像を順次切り替えて再生表示させるために、映像信号を前記表示装置に供給する映像信号供給装置において、再生表示時における外部状況に応じて、再生表示される対象画像間の切り替えタイミングを変更可能とするための切替制御手段を備えたことを特徴とする。
【発明の効果】
【００１７】
本発明によれば、再生表示される対象画像間の切り替えタイミングを望ましいタイミングに近づけることに寄与する画像再生システム及び映像信号供給装置を提供することができる。
【００１８】
本発明の意義ないし効果は、以下に示す実施の形態の説明により更に明らかとなろう。ただし、以下の実施の形態は、あくまでも本発明の一つの実施形態であって、本発明ないし各構成要件の用語の意義は、以下の実施の形態に記載されたものに制限されるものではない。
【発明を実施するための最良の形態】
【００１９】
以下、本発明の実施の形態につき、図面を参照して具体的に説明する。参照される各図において、同一の部分には同一の符号を付し、同一の部分に関する重複する説明を原則として省略する。
【００２０】
後に第１〜第４実施例を説明するが、まず、各実施例に共通する事項又は各実施例にて参照される事項について説明する。
【００２１】
図１は、本発明の実施の形態に係る撮像装置１の全体ブロック図である。撮像装置１は、動画像及び静止画像を撮影可能なデジタルビデオカメラである。但し、撮像装置１は、静止画像のみを撮影可能なデジタルスチルカメラであってもよい。
【００２２】
撮像装置１は、撮像部１１と、ＡＦＥ（Analog Front End）１２と、映像信号処理部１３と、マイク（音入力手段）１４と、音声信号処理部１５と、圧縮処理部１６と、内部メモリの一例としてのＳＤＲＡＭ（Synchronous Dynamic Random Access Memory）１７と、メモリカード１８と、伸張処理部１９と、ＶＲＡＭ（Video Random Access Memory）２０と、音声出力回路２１と、ＴＧ（タイミングジェネレータ）２２と、ＣＰＵ（Central Processing Unit）２３と、バス２４と、バス２５と、操作部２６と、表示部２７と、スピーカ２８と、を備えている。操作部２６は、録画ボタン２６ａ、シャッタボタン２６ｂ及び操作キー２６ｃ等を有している。撮像装置１内の各部位は、バス２４又は２５を介して、各部位間の信号（データ）のやり取りを行う。
【００２３】
まず、撮像装置１及び撮像装置１を構成する各部位の、基本的な機能について説明する。
【００２４】
ＴＧ２２は、撮像装置１全体における各動作のタイミングを制御するためのタイミング制御信号を生成し、生成したタイミング制御信号を撮像装置１内の各部に与える。具体的には、タイミング制御信号は、撮像部１１、映像信号処理部１３、音声信号処理部１５、圧縮処理部１６、伸張処理部１９及びＣＰＵ２３に与えられる。タイミング制御信号は、垂直同期信号Ｖｓｙｎｃと水平同期信号Ｈｓｙｎｃを含む。
【００２５】
ＣＰＵ２３は、撮像装置１内の各部の動作を統括的に制御する。操作部２６は、ユーザによる操作を受け付ける。操作部２６に与えられた操作内容は、ＣＰＵ２３に伝達される。ＳＤＲＡＭ１７は、フレームメモリとして機能する。撮像装置１内の各部は、必要に応じ、信号処理時に一時的に各種のデータ（デジタル信号）をＳＤＲＡＭ１７に記録する。
【００２６】
メモリカード１８は、外部記録媒体であり、例えば、ＳＤ（Secure Digital）メモリカードである。尚、本実施形態では外部記録媒体としてメモリカード１８を例示しているが、外部記録媒体を、１または複数のランダムアクセス可能な記録媒体（半導体メモリ、メモリカード、光ディスク、磁気ディスク等）で構成することができる。
【００２７】
図２は、図１の撮像部１１の内部構成図である。撮像部１１にカラーフィルタなどを用いることにより、撮像装置１は、撮影によってカラー画像を生成可能なように構成されている。
【００２８】
撮像部１１は、光学系３５と、絞り３２と、撮像素子３３と、ドライバ３４を有している。光学系３５は、ズームレンズ３０及びフォーカスレンズ３１を含む複数枚のレンズを備えて構成される。ズームレンズ３０及びフォーカスレンズ３１は光軸方向に移動可能である。ドライバ３４は、ＣＰＵ２３からの制御信号に基づいて、ズームレンズ３０及びフォーカスレンズ３１の移動を制御し、光学系３５のズーム倍率や焦点距離を制御する。また、ドライバ３４は、ＣＰＵ２３からの制御信号に基づいて絞り３２の開度（開口部の大きさ）を制御する。
【００２９】
被写体からの入射光は、光学系３５を構成する各レンズ及び絞り３２を介して、撮像素子３３に入射する。光学系３５を構成する各レンズは、被写体の光学像を撮像素子３３上に結像させる。ＴＧ２２は、上記タイミング制御信号に同期した、撮像素子３３を駆動するための駆動パルスを生成し、該駆動パルスを撮像素子３３に与える。
【００３０】
撮像素子３３は、例えばＣＣＤ（Charge Coupled Devices）イメージセンサやＣＭＯＳ（Complementary Metal Oxide Semiconductor）イメージセンサ等からなる。撮像素子３３は、光学系３５及び絞り３２を介して入射した光学像を光電変換し、該光電変換によって得られた電気信号をＡＦＥ１２に出力する。より具体的には、撮像素子３３は、マトリクス状に二次元配列された複数の画素（受光画素；不図示）を備え、各撮影において、各画素は露光時間に応じた電荷量の信号電荷を蓄える。蓄えた信号電荷の電荷量に比例した大きさを有する各画素からの電気信号は、ＴＧ２２からの駆動パルスに従って、後段のＡＦＥ１２に順次出力される。
【００３１】
ＡＦＥ１２は、撮像部１１（撮像素子３３）から出力されるアナログ信号を増幅し、増幅されたアナログ信号をデジタル信号に変換する。ＡＦＥ１２は、このデジタル信号を、順次、映像信号処理部１３に出力する。
【００３２】
映像信号処理部１３は、ＡＦＥ１２の出力信号に基づいて、撮像部１１によって撮影された画像（以下、「撮影画像」又は「フレーム画像」ともいう）を表す映像信号を生成する。映像信号は、撮影画像の輝度を表す輝度信号Ｙと、撮影画像の色を表す色差信号Ｕ及びＶと、から構成される。
【００３３】
尚、映像信号処理部１３は、撮影画像中のフォーカス検出領域内のコントラスト量に応じたＡＦ評価値及び撮影画像の明るさに応じたＡＥ評価値を検出し、それらをＣＰＵ２３に伝達する。ＣＰＵ２３は、ＡＦ評価値に応じて図２のドライバ３４を介してフォーカスレンズ３１の位置を調節することにより、被写体の光学像を撮像素子３３上に結像させる。また、ＣＰＵ２３は、ＡＥ評価値に応じて図２のドライバ３４を介して絞り３２の開度（及び必要に応じてＡＦＥ１２における信号増幅の増幅度）を調節することにより、受光量（画像の明るさ）を制御する。
【００３４】
図１において、マイク１４は、外部から与えられた音声（音）を、アナログの音声信号に変換して出力する。音声信号処理部１５は、マイク１４から出力されるアナログの音声信号をデジタルの音声信号に変換する。このデジタルの音声信号は、圧縮処理部１６に送られる。
【００３５】
圧縮処理部１６は、映像信号処理部１３からの映像信号を、所定の圧縮方式を用いて圧縮する。動画像または静止画像撮影時において、圧縮された映像信号はメモリカード１８に送られ、メモリカード１８に記録される。また、圧縮処理部１６は、音声信号処理部１５からの音声信号を、所定の圧縮方式を用いて圧縮する。動画像撮影時において、映像信号処理部１３からの映像信号と音声信号処理部１５からの音声信号は、圧縮処理部１６にて時間的に互いに関連付けられつつ圧縮され、圧縮後のそれらはメモリカード１８に記録される。
【００３６】
撮像装置１の動作モードには、動画像または静止画像の撮影及び記録が可能な撮影モードと、メモリカード１８に格納された動画像または静止画像を表示部２７に再生表示する再生モードと、が含まれる。操作キー２６ｃに対する操作に応じて、各モード間の遷移は実施される。録画ボタン２６ａに対する操作に従って動画像の撮影及び記録の開始又は終了が実施される。また、シャッタボタン２６ｂに対する操作に従って静止画像の撮影及び記録が実施される。
【００３７】
再生モードにおいて、ユーザが操作キー２６ｃに所定の操作を施すと、メモリカード１８に記録された動画像または静止画像を表す圧縮された映像信号は、伸張処理部１９に送られる。伸張処理部１９は、受け取った映像信号を伸張し、伸張後の映像信号をＶＲＡＭ２０に書き込む。また、撮影モードにおいては、通常、動画像または静止画像を撮影しているか否かに拘らず、映像信号処理１３による映像信号の生成が逐次行われており、その映像信号はＶＲＡＭ２０に書き込まれる。
【００３８】
表示部２７は、液晶ディスプレイなどの表示装置であり、ＶＲＡＭ２０に書き込まれた映像信号に応じた画像を表示する。即ち、表示部２７は、現在のフレーム画像、または、メモリカード１８に記録されている動画像若しくは静止画像を、表示する。
【００３９】
また、再生モードにおいて動画像を再生する際、メモリカード１８に記録された動画像に対応する圧縮された音声信号も、伸張処理部１９に送られる。伸張処理部１９は、受け取った音声信号を伸張して音声出力回路２１に送る。音声出力回路２１は、与えられたデジタルの音声信号をスピーカ２８にて出力可能な形式の音声信号（例えば、アナログの音声信号）に変換してスピーカ２８に出力する。スピーカ２８は、音声出力回路２１からの音声信号を音声（音）として外部に出力する。
【００４０】
撮像装置１は、複数の静止画像を自動的に順次切り替えて再生表示を行うスライドショー再生を実行可能であり、このスライドショー再生において、特徴的な機能を有する。概略的に説明すると、スライドショー再生時における視聴者の盛り上がり度を評価し、現在の表示画像に対する関心が高く視聴者が盛り上がっていると判断される場合は、現在の表示画像の表示時間を比較的長くし、そうでない場合は表示時間を比較的短くする。
【００４１】
図３は、スライドショー再生を行う場合に形成される画像再生システムの構成外観図である。図３の画像再生システムは、撮像装置１と、液晶ディスプレイ表示装置又はプラズマディスプレイ表示装置などの表示装置２と、から形成される。撮像装置１に設けられた外部接続端子（不図示）にケーブル３が接続され、該ケーブル３を介して撮像装置１から各静止画像を表す映像信号が表示装置２に伝達される。勿論、撮像装置１から表示装置２へ無線で映像信号を伝達することも可能である。表示装置２は、撮像装置１から伝達された映像信号に基づき、各静止画像を順次切り替えつつ再生表示する。尚、図３における符号１４は、図１のマイク１４を表している。
【００４２】
スライドショー再生における画像切り替え動作の実施例として、以下に、第１〜第４実施例を説明する。或る実施例に記載した事項は、矛盾なき限り、他の実施例にも適用可能である。各実施例において「表示」と言った場合、特に断りなき限り、それは、表示装置２における「表示」を指すものとする。
【００４３】
また、図４に示す如く、図１のメモリカード１８に、第１、第２、・・・、第ｐの静止画像（ｐは２以上の整数）が記録されているものとする。そして、各実施例のスライドショー再生時において、第１、第２、・・・、第ｐの静止画像の順番で各静止画像が１枚ずつ表示装置２の表示画面上に切り替え表示される場合を想定する。
【００４４】
＜＜第１実施例＞＞
まず、スライドショー再生に関する、本発明の第１実施例について説明する。図５は、第１実施例に係る画像切り替え動作に関与する部位のブロック図である。図５のマイク１４は、図１のそれと同じものである。図５の音声パワー検出部５１は、図１の音声信号処理部１５に設けられ、図５の表示画像切替制御部５２（以下、切替制御部５２と略記する）は、図１のＣＰＵ２３に設けられる。また、スライドショー再生を実行するに際し、図５に示されない、図１に示す各部位も必要に応じて利用される。
【００４５】
マイク１４は、マイク１４を中心とする周辺音（周囲の音）、換言すれば画像再生システムの周辺音を集音して、その周辺音を電気信号に変換する。この電気信号は、アナログの音声信号であり、それは、音声パワー検出部５１に送られる。音声パワー検出部５１は、マイク１４からの音声信号に基づいて、定められた各期間における音声パワーを検出する。この検出を行うに当たり、アナログの音声信号は、適宜デジタルの音声信号に変換される。切替制御部５２は、検出された音声パワーに基づいて、第１〜第ｐの静止画像間の表示切替制御を行う。本実施例及び後述する第２実施例において、単に音声信号といった場合、それは、マイク１４から出力される音声信号を指すものとする。
【００４６】
図６を参照して、第１実施例に係るスライドショー再生の動作の流れを説明する。図６は、この動作の流れを表すフローチャートである。
【００４７】
撮像装置１に電源が投入されると、ステップＳ１において、図１のＴＧ２２から垂直同期信号が出力されたかが確認される。垂直同期信号は、所定のフレーム周期にて順次生成及び出力される。ＴＧ２２から垂直同期信号が出力された場合はステップＳ２に移行し、出力されていない場合はステップＳ１の処理が繰り返される。
【００４８】
ステップＳ２では、スライドショー再生の開始指示が撮像装置１に与えられたかを確認し、その開始指示が与えられた場合はステップＳ３に移行する一方、与えられていない場合はステップＳ１に戻る。スライドショー再生の開始指示は、図１の操作部２６に対する所定操作によって与えられる。
【００４９】
ステップＳ３において、音声パワー検出部５１は、スライドショー再生が開始される直前の音声パワーを表す音声パワー基準値Ｐ０を算出する。
【００５０】
音声パワー基準値Ｐ０の算出法について説明する。図７は、スライドショー再生時における音声信号の振幅変化を示す図である。図７において、横軸は時間を表し、縦軸は音声信号の振幅を表している。音声信号の振幅は、マイク１４に与えられる周辺音の大きさ（又は強さ）が大きくなるにつれて増大する。
【００５１】
今、スライドショー再生における１番目の表示画像、即ち、第１の静止画像が表示開始されるタイミングＴ０を基準として考え、そのタイミングＴ０から１秒、２秒、３秒、４秒、５秒、６秒、７秒、８秒、９秒及び１０秒経過後のタイミングを、夫々、タイミングＴ１、Ｔ２、Ｔ３、Ｔ４、Ｔ５、Ｔ６、Ｔ７、Ｔ８、Ｔ９及びＴ１０と呼ぶ。更に、タイミングＴ０より所定時間前のタイミングをＴAにて表す。尚、タイミングＴ０とＴ１との間の期間を、タイミングＴ０−Ｔ１間と表記する。他のタイミング間についても同様である。
【００５２】
音声パワー検出部５１は、タイミングＴA−Ｔ０間の音声信号の振幅の平均値から、タイミングＴA−Ｔ０間の音声パワーの平均値を算出し、この音声パワーの平均値を音声パワー基準値Ｐ０とする。或る時刻ｔにおける音声信号の振幅をｘ（ｔ）で表すと、その時刻ｔにおける音声パワーは、ｌｏｇ10（ｘ（ｔ）2）、で表される。従って、タイミングＴA−Ｔ０間の音声信号の振幅の平均値が５であるとすると、音声パワー基準値Ｐ０は、ｌｏｇ10（５2）≒１．４０、となる。尚、音声パワーの単位は、デシベル［ｄＢ］である。
【００５３】
音声パワー基準値Ｐ０の算出後、変数ｋに１を代入してから（ステップＳ４）、ステップＳ５において、切替制御部５２は、第ｋの静止画像の表示時間（表示時間の長さ）を設定する。この表示時間の長さは、図１の操作部２６に対する所定操作によっても設定可能であるが、今、この長さは１秒であるとする。
【００５４】
続くステップＳ６において、切替制御部５２は、第ｋの静止画像を表示装置２に表示させる。これと同時に、ステップＳ７において、音声パワー検出部５１は、現時点の音声パワーの測定を開始する。そして、ステップＳ８及びＳ９において、音声パワー検出部５１は、音声パワーの測定開始時点から設定された表示時間の長さ（即ち、１秒）が経過した時点までの音声パワーの平均値を算出する。この平均値を、Ｐ１にて表す。
【００５５】
即ち例えば、ステップＳ７に至ったタイミングがタイミングＴ０である場合、タイミングＴ０からＴ１までの音声パワーの平均値を算出し、ステップＳ７に至ったタイミングがタイミングＴ１である場合、タイミングＴ１からＴ２での音声パワーの平均値を算出する。
【００５６】
その後、ステップＳ１０において、切替制御部５２は、不等式「Ｐ０×ＫC＜Ｐ１」の成立／不成立を判断する。その不等式が成立する場合は、現在の表示画像に対する視聴者の関心度が高いと判断して、第ｋの静止画像の表示時間を再度設定してから（ステップＳ１１）ステップＳ７に戻り、再度設定された表示時間（即ち１秒）中における音声パワーの測定を行って上述と同様の処理を行う。ここで、ＫCは、予め定められた定数であり、例えばＫC＝１．２である。
【００５７】
例えば、タイミングＴ０−Ｔ１間について算出された音声パワーの平均値Ｐ１に関して、上記不等式が成立する場合、ステップＳ１１を介してステップＳ７に戻ってタイミングＴ１−Ｔ２間の音声パワーの平均値が算出され、それを新たにＰ１に代入した上で、再度、ステップＳ１０の判断処理が実施される。
【００５８】
ステップＳ１０において、不等式「Ｐ０×ＫC＜Ｐ１」が成立しない場合は、ステップＳ１２に移行して、再生表示されるべき全ての静止画像が表示されたかが確認される。全ての静止画像が表示されていない場合、すなわちｋ＜ｐである場合は、変数ｋに１を加えて（ステップＳ１３）ステップＳ５に戻る。一方、全ての静止画像が表示された場合、すなわちｋ＝ｐである場合は、スライドショー再生を終了し、ステップＳ１に戻る。
【００５９】
図８に、各期間における音声信号の振幅の平均値と音声パワーの平均値の数値例を表すと共に、各期間に表示される静止画像の番号を示す。図８に示す数値例の場合、音声パワー基準値Ｐ０は１．４０である。また、タイミングＴ０−Ｔ１間の音声信号の振幅の平均値が３０であるため、タイミングＴ０−Ｔ１間の音声パワーの平均値は「ｌｏｇ10（３０2）≒２．９５」より、２．９５である。また、ＫC＝１．２、であるとする。
【００６０】
同様の演算を介して、タイミングＴ１−Ｔ２間、Ｔ２−Ｔ３間、Ｔ３−Ｔ４間、Ｔ４−Ｔ５間、Ｔ５−Ｔ６間、Ｔ６−Ｔ７間、Ｔ７−Ｔ８間、Ｔ８−Ｔ９間及びＴ９−Ｔ１０間における音声パワーの平均値は、夫々、０．６０、３．４０、２．８０、０．９５、２．６０、２．６０、２．６０、０．９５、２．９５、であったとする。
【００６１】
この数値例の場合、タイミングＴ０にて第１の静止画像が表示開始された後、タイミングＴ１にて「１．４０×１．２＜２．９５」よりステップＳ１０の不等式が成立するため、タイミングＴ１―Ｔ２間も引き続き第１の静止画像が表示される。この後、タイミングＴ２では、「１．４０×１．２＞０．６０」よりステップＳ１０の不等式が不成立となるため、表示装置２の表示画像は第１の静止画像から第２の静止画像に切り替えられる。
【００６２】
タイミングＴ２−Ｔ３間で第２の静止画像が表示されると、タイミングＴ２−Ｔ３間の音声パワーの平均値（３．４０）についてステップＳ１０の不等式の成立／不成立が判断される。「１．４０×１．２＞３．４０」であるため、ステップＳ１０の不等式が成立し、タイミングＴ３−Ｔ４間も引き続き第２の静止画像が表示される。同様の判断を経て、タイミングＴ４−Ｔ５間における表示画像は第２の静止画像となり、タイミングＴ５−Ｔ９間における表示画像は第３の静止画像となり、タイミングＴ９−Ｔ１０間における表示画像は第４の静止画像となる。
【００６３】
スライドショーの視聴者にとって興味深い画像が表示されると、歓声が起こったり、何らかの意見の発声が生じたりすることが多い。これに鑑み、本実施例では、視聴者の盛り上がり度を表す指標として、各期間における音声パワーを検出し、その音声パワーに基づいて各静止画像間の表示切り替えタイミングを動的に変更する。これにより、視聴者の反応に応じて、自動的に且つ適切に、表示画像の切り替えがなされる。
【００６４】
尚、上述の例では、スライドショー再生開始前の音声パワーを検出して音声パワー基準値Ｐ０を算出し、これとスライドショー再生時の音声パワーとの対比に基づいて、各静止画像間の表示切り替えタイミングを決定している。このように処理することにより、画像再生システム周辺の音声環境を加味した盛り上がり度の適切な評価を行うことができるのであるが、音声パワー基準値Ｐ０を算出することなく、スライドショー再生時の音声パワーのみに基づいて各静止画像間の表示切り替えタイミングを決定することも可能である。
【００６５】
この場合、例えば、ステップＳ１０にて不等式「ＰREF＜Ｐ１」の成立／不成立を判断する。そして、該不等式が成立する場合にステップＳ１１を介してステップＳ７に戻るようにし、該不等式が不成立の場合にステップＳ１２に移行するようにするとよい。これによっても、視聴者の反応に応じた、自動的且つ適切な表示画像の切り替えがなされる。ＰREFは、予め設定される基準値である。
【００６６】
＜＜第２実施例＞＞
次に、スライドショー再生に関する、本発明の第２実施例について説明する。図９は、第２実施例に係る画像切り替え動作に関与する部位のブロック図である。図９のマイク１４は、図１及び図５のそれと同じものである。図９の周波数分析部６１は、図１の音声信号処理部１５に設けられ、図９の表示画像切替制御部６２（以下、切替制御部６２と略記する）は、図１のＣＰＵ２３に設けられる。また、スライドショー再生を実行するに際し、図９に示されない、図１に示す各部位も必要に応じて利用される。
【００６７】
マイク１４にて生成されたアナログの音声信号は、周波数分析部６１に送られる。周波数分析部６１は、音声信号の周波数分析を行い、音声信号の所定周波数成分を抽出する。この抽出を行うに当たり、アナログの音声信号は、適宜デジタルの音声信号に変換される。切替制御部６２は、抽出された成分の大きさに基づいて、第１〜第ｐの静止画像間の表示切替制御を行う。
【００６８】
図１０を参照して、第２実施例に係るスライドショー再生の動作の流れを説明する。図１０は、この動作の流れを表すフローチャートである。
【００６９】
スライドショー再生における１番目の表示画像、即ち、第１の静止画像が表示開始されるタイミングＴ０を基準として考え、第１実施例と同様、タイミングＴ１〜Ｔ１０を定義する。
【００７０】
撮像装置１に電源が投入されると、ステップＳ１、Ｓ２、Ｓ４、Ｓ５及びＳ６の各処理が実施される。それらは、第１実施例におけるそれらと同様である。即ち、図１のＴＧ２２からの垂直同期信号の出力及びスライドショー再生の開始指示が確認されると（ステップＳ１及びＳ２）、ステップＳ４に移行して変数ｋに１を代入する。その後、ステップＳ５において、切替制御部６２は、第ｋの静止画像の表示時間（表示時間の長さ）を設定する。今、この長さは、１秒であるとする。続くステップＳ６において、切替制御部６２は、第ｋの静止画像を表示装置２に表示させる。
【００７１】
第２実施例では、ステップＳ６の表示処理と同時に、ステップＳ２１において、周波数分析部６１が音声信号の周波数分析を開始する。そして、ステップＳ２２及びＳ２３において、周波数分析部６１は、周波数分析の開始時点から設定された表示時間の長さ（即ち、１秒）が経過した時点までの期間における短時間スペクトル（パワースペクトル）を算出すると共に、特定の周波数ｆ0におけるスペクトルパワー（単位は［ｄＢ］）を算出する。算出したスペクトルパワーを、ＳPWにて表す。
【００７２】
即ち例えば、ステップＳ２１に至ったタイミングがタイミングＴ０である場合、タイミングＴ０からＴ１までの期間の短時間スペクトルを算出すると共に該短時間スペクトルからスペクトルパワーＳPWを算出し、ステップＳ２１に至ったタイミングがタイミングＴ１である場合、タイミングＴ１からＴ２までの期間の短時間スペクトルを算出すると共に該短時間スペクトルからスペクトルパワーＳPWを算出する。
【００７３】
ここで、図１１及び図１２を参照して、スペクトルパワーＳPWの算出方法を説明する。図１１は、スライドショー再生時における音声信号の振幅変化を示す図である。図１１において、横軸は時間を表し、縦軸は音声信号の振幅を表している。図１２は、タイミングＴ０−Ｔ１間の音声信号の短時間スペクトル（パワースペクトル）を表す。図１２において、横軸は周波数を表し、縦軸はスペクトルパワーを表す。
【００７４】
図１２に示されるような短時間スペクトルは、音声信号を高速フーリエ変換することによって得られる。或る時刻ｔにおける音声信号の振幅をｘ（ｔ）で表し、ｘ（ｔ）を高速フーリエ変換して得られる関数をＸ（ｆ）にて表す。Ｘ（ｆ）は周波数ｆの関数である。スペクトルパワーは、ｌｏｇ10（Ｘ（ｆ）2）、で表される。
【００７５】
ステップＳ２１〜Ｓ２３において、周波数分析部６１は、予め定められた特定の周波数ｆ0におけるスペクトルパワーＳPWを算出する。ＳPWは、ｌｏｇ10（Ｘ（ｆ0）2）、によって表される。
【００７６】
スペクトルパワーＳPWが算出された後、ステップＳ２４において、切替制御部６２は、不等式「ＳREF＜ＳPW」の成立／不成立を判断する。その不等式が成立する場合は、現在の表示画像に対する視聴者の関心度が高いと判断して、第ｋの静止画像の表示時間を再度設定してから（ステップＳ２５）ステップＳ２１に戻り、再度設定された表示時間（即ち１秒）に対する音声信号の周波数分析を行って上述と同様の処理を行う。ここで、ＳREFは、予め定められた基準スペクトルパワー（単位は［ｄＢ］）であり、例えば、８０ｄＢとされる。
【００７７】
例えば、タイミングＴ０−Ｔ１間について算出されたスペクトルパワーＳPWに関して、上記不等式が成立する場合、ステップＳ２５を介してステップＳ２１に戻ってタイミングＴ１−Ｔ２間についての周波数ｆ0のスペクトルパワーが算出され、それを新たにＳPWに代入した上で、再度、ステップＳ２４の判断処理が実施される。図１２は、不等式「ＳREF＜ＳPW」が成立する状態に対応している。
【００７８】
ステップＳ２４において、不等式「ＳREF＜ＳPW」が成立しない場合は、第１実施例と同様、ステップＳ１２に移行して、再生表示されるべき全ての静止画像が表示されたかが確認される。全ての静止画像が表示されていない場合、すなわちｋ＜ｐである場合は、変数ｋに１を加えて（ステップＳ１３）ステップＳ５に戻る。一方、全ての静止画像が表示された場合、すなわちｋ＝ｐである場合は、スライドショー再生を終了し、ステップＳ１に戻る。
【００７９】
スライドショーの視聴者にとって興味深い画像が表示されると、歓声が起こったり、何らかの意見の発声が生じたりすることが多い。これに鑑み、本実施例では、視聴者の盛り上がり度を表す指標として、各期間における特定の周波数ｆ0のスペクトルパワーを検出し、そのスペクトルパワーの大きさに基づいて各静止画像間の表示切り替えタイミングを動的に変更する。これにより、視聴者の反応に応じて、自動的に且つ適切に、表示画像の切り替えがなされる。
【００８０】
視聴者の盛り上がり度を適切に評価すべく、周波数ｆ0を、人の笑い声や拍手の音の周波数を基にして設定するとよい。例えば、人の笑い声や拍手の音を周波数分析することによって得られる短時間スペクトルにおいて９００ｋＨｚ（キロヘルツ）のスペクトルパワーが最大であるならば（或いは、人の笑い声や拍手の音が９００ｋＨｚの周波数成分を比較的多く含むならば）、周波数ｆ0を９００ｋＨｚ又は９００ｋＨｚ近傍の周波数とするよい。
【００８１】
また、或る限定された周波数成分（上述の例において、周波数ｆ0の成分）のみに基づいて各静止画像間の表示切り替えタイミングを決定するのではなく、一定の幅を有する特定の周波数帯域成分に基づいて、各静止画像間の表示切り替えタイミングを決定するようにしてもよい。
【００８２】
即ち、例えば、ステップＳ２１〜Ｓ２３において、短時間スペクトルを算出すると共に特定の周波数帯域におけるスペクトルパワーの平均値を算出するようにする。より具体的には例えば、周波数（ｆ0−ｆ1）から周波数（ｆ0＋ｆ1）の帯域内のスペクトルパワーの平均値を算出する。そして、この平均値をＳPWと捉えて、上述のステップＳ２４の処理を実行すればよい。ここで、ｆ1は、正の所定値である（単位は［Ｈｚ］）。
【００８３】
＜＜第３実施例＞＞
次に、スライドショー再生に関する、本発明の第３実施例について説明する。図１３は、第３実施例に係る画像切り替え動作に関与する部位のブロック図である。図１３の動き検出部７１は、図１の映像信号処理部１３に設けられ、図１３の表示画像切替制御部７２（以下、切替制御部７２と略記する）は、図１のＣＰＵ２３に設けられる。また、スライドショー再生を実行するに際し、図１３に示されない、図１に示す各部位も必要に応じて利用される。
【００８４】
第３実施例及び後述する第４実施例では、スライドショー再生時において、撮像装置１が所定のフレーム周期（例えば、１／６０秒）にて画像再生システムの周辺の被写体を撮影する。フレーム周期ごとに訪れる各フレームにおいて得られる撮影画像をフレーム画像という。この際、撮像装置１の撮影の被写体にスライドショーの視聴者が含まれるようにする。即ち、上記の「画像再生システムの周辺の被写体」に、スライドショーの視聴者を含ませる。但し、スライドショー再生時の撮影によって得られる画像は、メモリカード１８に記録されない。順次取得されるフレーム画像（撮影画像）によって動画像が形成される。
【００８５】
動き検出部７１は、例えば、公知の画像マッチング法（例えば、ブロックマッチング法や代表点マッチング法）を用い、隣接するフレーム画像間において映像信号を対比することにより、隣接するフレーム画像間における動きベクトルを検出する。この動きベクトルは、隣接するフレーム画像間における、画像の動きの大きさ及び向きを特定する。代表点マッチング法としては、例えば、特開昭６１−２０１５８１号公報に開示されている手法を用いればよい。
【００８６】
切替制御部７２は、特定の期間中における動きベクトルの大きさの総和に基づいて、第１〜第ｐの静止画像間の表示切替制御を行う。この総和は、特定の期間内における、画像の動き量に応じた値をとることになる。
【００８７】
図１４を参照して、第３実施例に係るスライドショー再生の動作の流れを説明する。図１４は、この動作の流れを表すフローチャートである。
【００８８】
スライドショー再生における１番目の表示画像、即ち、第１の静止画像が表示開始されるタイミングＴ０を基準として考え、第１実施例と同様、タイミングＴ１〜Ｔ１０を定義する。
【００８９】
撮像装置１に電源が投入されると、ステップＳ１、Ｓ２、Ｓ４、Ｓ５及びＳ６の各処理が実施される。それらは、第１実施例におけるそれらと同様である。即ち、図１のＴＧ２２からの垂直同期信号の出力及びスライドショー再生の開始指示が確認されると（ステップＳ１及びＳ２）、ステップＳ４に移行して変数ｋに１を代入する。その後、ステップＳ５において、切替制御部７２は、第ｋの静止画像の表示時間（表示時間の長さ）を設定する。今、この長さは、１秒であるとする。続くステップＳ６において、切替制御部７２は、第ｋの静止画像を表示装置２に表示させる。この時点において、既に、各フレーム画像の順次撮影は開始されている。
【００９０】
第３実施例では、ステップＳ６の表示処理と同時に、ステップＳ３１において、動き検出部７１による動きベクトルの検出を開始する。第１、第２、第３、・・・フレーム画像が順次撮影される場合、第１及び第２フレーム画像間についての動きベクトル、第２及び第３フレーム画像間についての動きベクトル、・・・、が順次検出される。そして、ステップＳ３２及びＳ３３において、切替制御部７２は、動きベクトル検出の開始時点から設定された表示時間の長さ（即ち、１秒）が経過した時点までに得られた動きベクトルの大きさの総和を算出する。
【００９１】
即ち例えば、ステップＳ３１に至ったタイミングがタイミングＴ０である場合、タイミングＴ０−Ｔ１間における動きベクトルの大きさの総和を算出し、ステップＳ３１に至ったタイミングがタイミングＴ１である場合、タイミングＴ１−Ｔ２間における動きベクトルの大きさの総和を算出する。算出した総和を、ＶSUMにて表す。
【００９２】
総和ＶSUMが算出された後、ステップＳ３４において、切替制御部７２は、不等式「ＶREF＜ＶSUM」の成立／不成立を判断する。その不等式が成立する場合は、現在の表示画像に対する視聴者の関心度が高いと判断して、第ｋの静止画像の表示時間を再度設定してから（ステップＳ３５）ステップＳ３１に戻り、再度設定された表示時間（即ち１秒）中における動きベクトル検出を行って上述と同様の処理を行う。ここで、ＶREFは、予め定められた基準値である。
【００９３】
例えば、タイミングＴ０−Ｔ１間について算出された総和ＶSUMに関して、上記不等式が成立する場合、ステップＳ３５を介してステップＳ３１に戻ってタイミングＴ１−Ｔ２間における動きベクトルの大きさの総和が算出され、それを新たにＶSUMに代入した上で、再度、ステップＳ３４の判断処理が実施される。
【００９４】
ステップＳ３４において、不等式「ＶREF＜ＶSUM」が成立しない場合は、第１実施例と同様、ステップＳ１２に移行して、再生表示されるべき全ての静止画像が表示されたかが確認される。全ての静止画像が表示されていない場合、すなわちｋ＜ｐである場合は、変数ｋに１を加えて（ステップＳ１３）ステップＳ５に戻る。一方、全ての静止画像が表示された場合、すなわちｋ＝ｐである場合は、スライドショー再生を終了し、ステップＳ１に戻る。
【００９５】
スライドショーの視聴者にとって興味深い画像が表示されると、スライドショーの視聴者が拍手をしたり、発声や感情変化によって視聴者の表情が変わったりすることが多く、これらに起因して、上述の動きベクトルの大きさは比較的大きくなる。これに鑑み、本実施例では、視聴者の盛り上がり度を表す指標として、各期間における動きベクトルの大きさの総和を検出し、それに基づいて各静止画像間の表示切り替えタイミングを動的に変更する。これにより、視聴者の反応に応じて、自動的に且つ適切に、表示画像の切り替えがなされる。
【００９６】
＜＜第４実施例＞＞
次に、スライドショー再生に関する、本発明の第４実施例について説明する。図１５は、第４実施例に係る画像切り替え動作に関与する部位のブロック図である。図１５の顔領域検出部８１及び顔領域差分値算出部８３は、図１の映像信号処理部１３に設けられ、図１５の表示画像切替制御部８２（以下、切替制御部８２と略記する）は、図１のＣＰＵ２３に設けられる。また、スライドショー再生を実行するに際し、図１５に示されない、図１に示す各部位も必要に応じて利用される。
【００９７】
上述したように、第３実施例と同じく第４実施例でも、スライドショー再生時において、撮像装置１が所定のフレーム周期にて画像再生システムの周辺の被写体を撮影する。この「画像再生システムの周辺の被写体」に、スライドショーの視聴者が含まれる。
【００９８】
顔領域検出部８１は、各フレーム画像を表す映像信号に基づき、各フレーム画像の中から人物の顔を検出して顔を含む顔領域を抽出する。画像中に含まれる顔を検出する手法として様々な手法が知られており、顔領域検出部８１は何れの手法をも採用可能である。例えば、特開２０００−１０５８１９号公報に記載の手法のようにフレーム画像から肌色領域を抽出することによって顔（顔領域）を検出しても良いし、特開２００６−２１１１３９号公報又は特開２００６−７２７７０号公報に記載の手法を用いて顔（顔領域）を検出しても良い。
【００９９】
典型的には例えば、入力画像（即ち、フレーム画像）内に設定された着目領域の画像と予め登録された基準顔画像とを対比して両画像の類似度を判定し、その類似度に基づいて着目領域に顔が含まれているか否か（着目領域が顔領域であるか否か）を検出する。類似判定は、顔であるか否かを識別するのに有効な特徴量を抽出することによって行う。特徴量は、水平エッジ、垂直エッジ、右斜めエッジ、左斜めエッジ等である。
【０１００】
今、顔領域は、矩形領域として抽出されるとする。フレーム画像内における顔領域の位置（座標位置）を特定する情報は、顔領域差分値算出部８３に伝達される。顔領域差分値算出部８３は、隣接するフレーム画像間における、同一の顔領域に関する映像信号を対比することにより、顔領域差分値を算出する。
【０１０１】
隣接するフレーム画像を前フレーム及び現フレームとして、顔領域差分値の算出法を説明する。まず、各フレーム画像内に１つの顔領域しか存在しない場合を考える。前フレームにおける顔領域内の画像と現フレームにおける顔領域内の画像との差分画像を定義する。この差分画像を形成する各画素の画素値は、前フレームの顔領域内の画像を形成する各画素の画素値と現フレームの顔領域内の画像を形成する各画素の画素値との差にて表される。そして、この差分画像を形成する各画素の画素値の絶対値を積算して得られる値を、顔領域差分値とする。
【０１０２】
各フレーム画像内に複数の顔領域が存在する場合は、顔領域ごとに、差分画像を定義して差分画像を形成する各画素の画素値の絶対値の積算値を求める。そして、顔領域ごとに求められた積算値の総和を、顔領域差分値とする。尚、画素値とは、例えば、輝度信号の値、色差信号の値、或いは、ＲＧＢ信号などの色信号の値である。
【０１０３】
前フレームと現フレームとの間で算出された顔領域差分値は、前フレームと現フレームとの間における顔領域内の画像の動きの大きさに応じた値をとり、その大きさが増大するにつれて、通常、顔領域差分値は増大する。
【０１０４】
切替制御部８２は、特定の期間中における顔領域差分値の総和に基づいて、第１〜第ｐの静止画像間の表示切替制御を行う。この総和は、特定の期間内における、顔領域内の画像の動き量に応じた値をとることになる。
【０１０５】
図１６を参照して、第４実施例に係るスライドショー再生の動作の流れを説明する。図１６は、この動作の流れを表すフローチャートである。
【０１０６】
スライドショー再生における１番目の表示画像、即ち、第１の静止画像が表示開始されるタイミングＴ０を基準として考え、第１実施例と同様、タイミングＴ１〜Ｔ１０を定義する。
【０１０７】
撮像装置１に電源が投入されると、ステップＳ１、Ｓ２及びＳ４の各処理が実施される。それらは、第１実施例におけるそれらと同様である。即ち、図１のＴＧ２２からの垂直同期信号の出力及びスライドショー再生の開始指示が確認されると（ステップＳ１及びＳ２）、ステップＳ４に移行して変数ｋに１を代入する。
【０１０８】
第４実施例では、ステップＳ４の後、ステップＳ４０に移行して、各フレーム画像の順次撮影を開始すると共に顔領域を特定する。即ち、現時点のフレーム画像から顔領域を抽出し、その顔領域の位置（フレーム画像上の座標位置）を特定する。ここで位置が特定された顔領域としての矩形領域内の画素値に基づいて、以後、顔領域差分値が算出される。
【０１０９】
ステップＳ４０にて顔領域が特定された後、切替制御部８２は、第ｋの静止画像の表示時間（表示時間の長さ）を設定する。今、この長さは、１秒であるとする。続くステップＳ６において、切替制御部８２は、第ｋの静止画像を表示装置２に表示させる。
【０１１０】
そして、ステップＳ６の表示処理と同時に、ステップＳ４１において、顔領域差分値算出部８３による顔領域差分値の算出を開始する。第１、第２、第３、・・・フレーム画像が順次撮影される場合、第１及び第２フレーム画像間についての顔領域差分値、第２及び第３フレーム画像間についての顔領域差分値、・・・、が順次算出される。そして、ステップＳ４２及びＳ４３において、切替制御部８２は、顔領域差分値の算出開始時点から設定された表示時間の長さ（即ち、１秒）が経過した時点までに得られた顔領域差分値の総和を算出する。
【０１１１】
即ち例えば、ステップＳ４１に至ったタイミングがタイミングＴ０である場合、タイミングＴ０−Ｔ１間における顔領域差分値の総和を算出し、ステップＳ４１に至ったタイミングがタイミングＴ１である場合、タイミングＴ１−Ｔ２間における顔領域差分値の総和を算出する。算出した総和を、ＤSUMにて表す。
【０１１２】
総和ＤSUMが算出された後、ステップＳ４４において、切替制御部８２は、不等式「ＤREF＜ＤSUM」の成立／不成立を判断する。その不等式が成立する場合は、現在の表示画像に対する視聴者の関心度が高いと判断して、第ｋの静止画像の表示時間を再度設定してから（ステップＳ４５）ステップＳ４１に戻り、再度設定された表示時間（即ち１秒）中における顔領域差分値の算出を行って上述と同様の処理を行う。ここで、ＤREFは、予め定められた基準値である。
【０１１３】
例えば、タイミングＴ０−Ｔ１間について算出された総和ＤSUMに関して、上記不等式が成立する場合、ステップＳ４５を介してステップＳ４１に戻ってタイミングＴ１−Ｔ２間における顔領域差分値の総和が算出され、それを新たにＤSUMに代入した上で、再度、ステップＳ４４の判断処理が実施される。
【０１１４】
ステップＳ４４において、不等式「ＤREF＜ＤSUM」が成立しない場合は、第１実施例と同様、ステップＳ１２に移行して、再生表示されるべき全ての静止画像が表示されたかが確認される。全ての静止画像が表示されていない場合、すなわちｋ＜ｐである場合は、変数ｋに１を加えて（ステップＳ１３）ステップＳ５に戻る。一方、全ての静止画像が表示された場合、すなわちｋ＝ｐである場合は、スライドショー再生を終了し、ステップＳ１に戻る。
【０１１５】
スライドショーの視聴者にとって興味深い画像が表示されると、スライドショーの視聴者の発声や感情変化によって視聴者の顔の表情が変わることが多く、これに起因して、上述の顔領域差分値は比較的大きくなる。これに鑑み、本実施例では、視聴者の盛り上がり度を表す指標として、各期間における顔領域差分値の総和を検出し、それに基づいて各静止画像間の表示切り替えタイミングを動的に変更する。これにより、視聴者の反応に応じて、自動的に且つ適切に、表示画像の切り替えがなされる。
【０１１６】
例として、顔領域差分値の基となる、対比する２つのフレーム画像２０１及び２０２を図１７に示す。フレーム画像２０１及び２０２の夫々において、６つの顔領域が特定されており、６つの顔領域は、実線四角枠又は破線四角枠によって表されている。そして、実線四角枠に対応する顔領域は、表情の変化によって顔領域差分値の増大に寄与する。
【０１１７】
＜＜変形等＞＞
上述の実施形態の変形例または注釈事項として、以下に、注釈１〜注釈６を記す。各注釈に記載した内容は、矛盾なき限り、任意に組み合わせることが可能である。
【０１１８】
［注釈１］
上述した説明文中に示した具体的な数値は、単なる例示であって、当然の如く、それらを様々な数値に変更することができる。
【０１１９】
［注釈２］
上述した各実施例は、矛盾なき限り、任意に組み合わせることが可能である。例えば、タイミングＴ０−Ｔ１間で第１の静止画像を表示していた場合において、タイミングＴ１−Ｔ２間も継続して第１の静止画像を表示するか或いはタイミングＴ１−Ｔ２間では第２の静止画像を表示するかを、以下の合成評価値に基づいて決定するようにしてもよい。
【０１２０】
合成評価値は、
タイミングＴ０−Ｔ１間における音声パワーの平均値Ｐ１に基づく第１評価値、
タイミングＴ０−Ｔ１間におけるスペクトルパワーＳPWに基づく第２評価値、
タイミングＴ０−Ｔ１間における動きベクトルの大きさの総和ＶSUMに基づく第３評価値、
タイミングＴ０−Ｔ１間における顔領域差分値の総和ＤSUMに基づく第４評価値、の内の全部又は一部の評価値から算出される。
【０１２１】
［注釈３］
また、上述の第１〜第４実施例で説明した手法と異なるが、スライドショー再生にて順次表示される静止画像の説明者（プレゼンター）による説明の発声切れ目を検出し、その発声切れ目において、表示画像を次の静止画像に切り替えるようにしても良い。
【０１２２】
具体的には例えば、図５のマイク１４及び音声パワー検出部５１を利用するとよい。そして例えば、第１の静止画像を表示している場合において、音声信号から算出される音声パワーが所定期間継続して所定閾値以下となっているとき、表示画像を第１の静止画像から第２の静止画像に切り替えるようにする。
【０１２３】
［注釈４］
第１及び第２実施例では、撮像装置１に設けられたマイク１４を利用して、図３の画像再生システムの周辺音に応じた音声信号を生成するようにしているが、この音声信号を撮像装置１の外部のマイク（不図示）にて生成することも可能である。
【０１２４】
［注釈５］
図１の撮像装置１は、ハードウェア、或いは、ハードウェアとソフトウェアの組み合わせによって実現可能である。特に、図５、図９、図１３及び図１５に示された各部位（但し、マイク１４を除く）は、ハードウェア、ソフトウェア、またはハードウェアとソフトウェアの組み合わせによって実現可能である。
【０１２５】
ソフトウェアを用いて撮像装置１を構成する場合、ソフトウェアにて実現される部位についてのブロック図は、その部位の機能ブロック図を表すことになる。また、図５、図９、図１３及び図１５に示された各部位（但し、マイク１４を除く）にて実現される機能の全部または一部を、プログラムとして記述し、該プログラムをプログラム実行装置（例えばコンピュータ）上で実行することによって、その機能の全部または一部を実現するようにしてもよい。
【０１２６】
［注釈６］
図３に示す例では、画像再生システムが撮像装置１と表示装置２とから形成される。この場合、撮像装置１は、スライドショー再生を実行すべく映像信号を表示装置２に供給する映像信号供給装置として機能する。
【０１２７】
但し、撮像装置１のみにて画像再生システムを形成することも可能である。この場合、スライドショー再生時において、撮像装置１に設けられた表示部２７に各画像を順次切り替え表示すればよい。
【０１２８】
また、上述のスライドショー再生を実行するために必要な撮像装置１の機能を表示装置２に設ければ、表示装置２のみによって画像再生システムを形成することも可能である。
【図面の簡単な説明】
【０１２９】
【図１】本発明の実施形態に係る撮像装置の全体ブロック図である。
【図２】図１の撮像部の内部構成図である。
【図３】本発明の実施形態に係る画像再生システムの構成外観図である。
【図４】スライドショー再生対象画像に対応する、図１のメモリカードの記録内容を表す図である。
【図５】本発明の第１実施例に係り、スライドショー再生時の画像切り替え動作に関与する部位のブロック図である。
【図６】本発明の第１実施例に係るスライドショー再生の動作の流れを表すフローチャートである。
【図７】本発明の第１実施例に係り、スライドショー再生時における音声信号の振幅変化を示す図である。
【図８】本発明の第１実施例に係り、各期間における音声信号の振幅の平均値と音声パワーの平均値と表示画像との関係を表す図である。
【図９】本発明の第２実施例に係り、スライドショー再生時の画像切り替え動作に関与する部位のブロック図である。
【図１０】本発明の第２実施例に係るスライドショー再生の動作の流れを表すフローチャートである。
【図１１】本発明の第２実施例に係り、スライドショー再生時における音声信号の振幅変化を示す図である。
【図１２】本発明の第２実施例に係り、或る期間（Ｔ０−Ｔ１）の音声信号の短時間スペクトル（パワースペクトル）を表す図である。
【図１３】本発明の第３実施例に係り、スライドショー再生時の画像切り替え動作に関与する部位のブロック図である。
【図１４】本発明の第３実施例に係るスライドショー再生の動作の流れを表すフローチャートである。
【図１５】本発明の第４実施例に係り、スライドショー再生時の画像切り替え動作に関与する部位のブロック図である。
【図１６】本発明の第４実施例に係るスライドショー再生の動作の流れを表すフローチャートである。
【図１７】本発明の第４実施例に係るスライドショー再生時の画像切り替え動作の意義を説明するための図である。
【符号の説明】
【０１３０】
１  撮像装置
２  表示装置
１１  撮像部
１３  映像信号処理部
１４  マイク
１５  音声信号処理部
２３  ＣＰＵ
５１  音声パワー検出部
５２、６２、７２、８２  表示画像切替制御部
６１  周波数分析部
７１  動き検出部
８１  顔領域検出部
８３  顔領域差分値算出部
【図１】
2008141484.tif 000003
【図２】
2008141484.tif 000004
【図３】
2008141484.tif 000005
【図４】
2008141484.tif 000006
【図５】
2008141484.tif 000007
【図６】
2008141484.tif 000008
【図７】
2008141484.tif 000009
【図８】
2008141484.tif 000010
【図９】
2008141484.tif 000011
【図１０】
2008141484.tif 000012
【図１１】
2008141484.tif 000013
【図１３】
2008141484.tif 000014
【図１４】
2008141484.tif 000015
【図１５】
2008141484.tif 000016
【図１６】
2008141484.tif 000017
【図１２】
2008141484.tif 000018
【図１７】
2008141484.tif 000019